(57)【要約】      （修正有）【課題】上下風向羽根が簡単に取付けられ、しかも外れにくい構造の空気調和機を提供すること。【解決手段】回転軸部６、回転軸受け部３と、軸引掛け部４、５、軸引掛け受け部７、８を備えることにより、上下風向羽根を取付ける際の差込み方向と引掛け方向が異なり、上下風向羽根をあまりたわませることなく取付けることが可能となる。また、容易に取付けが出来、かつ取付け後は外れにくい上下風向羽根を備えた空気調和機を提供することができる。【選択図】図３
2008106951.tif 000002
【特許請求の範囲】
【請求項１】
電動または手動にて、上下の風向を変更できる空気調和機室内ユニットにおいて、着脱自在な上下風向変更羽根が、１ヶ所の回転軸部もしくは軸受け部を備え、同心軸上の別位置に軸引掛け部を備えたことを特徴とした空気調和機。
【請求項２】
軸方向に移動出来ないように、室内ユニット側の引掛け受け部に、両側に壁を設けたことを特徴とした請求項１に記載の空気調和機。
【請求項３】
少なくとも、２ヶ所以上の軸引掛け部を備え、室内ユニット側の引掛け受け部および壁部が、軸方向垂直面に左右反転した２タイプの形状を備えていることを特徴とした請求項１または２に記載の空気調和機。
【請求項４】
回転軸部を十字型に形成し、４姿勢の角度で取付けられることを特徴とした請求項１に記載の空気調和機。
【発明の詳細な説明】
【技術分野】
【０００１】
本発明は、空気調和機の上下風向羽根の取付け構造に関するものである。
【背景技術】
【０００２】
従来の空気調和機室内ユニットの上下風向羽根について、室内ユニットに取付ける仕組みを、図面を参照しながら説明する。従来の上下風向羽根は、図４に示すように、長手方向の左右側に回転軸１１、１２を備えている。また、中央部にも支点軸１３を備えているものもある。そして、室内ユニット側に軸受け部を備えている（例えば、特許文献１参照）。
【特許文献１】特開２００２−１３６２５号公報
【発明の開示】
【発明が解決しようとする課題】
【０００３】
しかしながら、前記従来の構成では、室内ユニットに取付ける際に、上下風向羽根を無理に大きくたわませる必要があり、取付けが困難である、という課題を有していた。
また、取付けが簡単な構造にすると、上下風向羽根が長手方向に外力を受けた場合、容易に外れる、という課題も並存していた。
【０００４】
本発明は、前記従来の課題を解決するもので、室内ユニットへの取付けが簡単で、かつ、多方向の外力を受けても外れにくい上下風向羽根を提供することを目的とする。
【課題を解決するための手段】
【０００５】
前記従来の課題を解決するために、本発明の空気調和機の上下風向羽根取付け構造は、回転軸または回転軸受け部を片側１ヶ所のみとし、反対側および他部には軸引掛け部を設けたものである。
【０００６】
これによって、回転軸の差込み方向は１方向のみとなり、他部は回転軸に垂直方向への取付けとなるため、あまり上下風向羽根をたわませること無く、室内ユニットへ取付けることが可能となる。
【０００７】
また、本発明の上下風向羽根取付け構造は、室内ユニット側の引掛け受け部に、両側に壁を設けたものである。
【０００８】
これによって、上下風向羽根が長手方向に外力を受けた場合でも、壁部がストッパーになるため、外れなくなる。
【発明の効果】
【０００９】
本発明の空気調和機の上下風向羽根取付け構造は、容易に取付けが出来、かつ取付け後は外れにくい上下風向羽根を備えた空気調和機を提供することができる。
【発明を実施するための最良の形態】
【００１０】
第１の発明は、空気調和機の上下風向羽根に１ヶ所の回転軸部もしくは軸受け部を設け、同心軸上の別位置に軸引掛け部を設けることにより、軸部の差込み方向は１方向のみで、他部は回転軸に垂直方向への取付けとなり、上下風向羽根をあまりたわませること無く、簡単に取付けることができる。
【００１１】
第２の発明は、特に、第１の発明の上下風向羽根取付け構造で、室内ユニット側の引掛
け受け部両側に壁を設けることにより、壁が、軸方向の外力に対するストッパーとなり、上下風向羽根の脱落を防止することができる。
【００１２】
第３の発明は、特に、第１または第２の発明の上下風向羽根取付け構造で、軸引掛け部を２ヶ所以上、軸方向垂直面に左右反転した２タイプの形状を設けることで、軸方向両側から外力に対して、対応することが出来る。また、取付ける際の利き方向による得手・不得手にもバランスよく対応でき、取付け時のバラつきを軽減することができる。
【００１３】
第４の発明は、特に、第１〜３のいずれか１つの発明の上下風向羽根取付け構造で、回転軸部の形状を十字型に形成することで、４姿勢の角度で取付けられることが出来、取付け時の諸負担を軽減することができる。
【００１４】
以下、本発明の実施の形態について、図面を参照しながら説明する。なお、この実施の形態によって本発明が限定されるものではない。
【００１５】
（実施の形態１）
図１は、本発明の上下風向羽根取付け構造を備えた空気調和機の斜視図である。図２は、本発明の上下風向羽根２の斜視図である。図３は、上下風向羽根２を室内ユニット１に取付け時の各取付け箇所の拡大図を示す。
【００１６】
上下風向羽根２は、回転軸受け部３、軸引掛け部４、５を備えており、室内ユニット１は、回転軸部６、軸引掛け受け部７、８を備えている。３〜８まで、同一軸上に並ぶように形成したことを特徴とする。
【００１７】
上下風向羽根２の回転軸受け部３を、室内ユニット１の回転軸部６に、回転軸方向に差込んで取付け、その後、軸引掛け部４、５を軸引掛け受け部７、８にそれぞれ、回転軸の垂直方向に引掛けて取付けることで、上下風向羽根２をあまりたわませること無く室内ユニット１に取付けることが出来る。
【００１８】
図３（ａ）においては、軸引掛け受け部８に対する壁部１０、図３（ｂ）においては、軸引掛け受け部７に対する壁部９を設けることで、上下風向羽根２が軸方向の外力を受けても、壁部９、１０がそれぞれ上下風向羽根２の引掛け部４、５のストッパーの役割を果たすため、上下風向羽根２が脱落することを防ぐ。
【００１９】
図３（ａ）、（ｂ）に示すように、軸引掛け部４に対する壁部９の位置、軸引掛け部５に対する壁部１０の位置は、回転軸方向垂直面に対して反転している。そのため、軸方向両側から外力に対して、対応することが出来る。また、取付ける際の利き方向による得手・不得手にもバランスよく対応でき、取付け時のバラつきを軽減することができる。
【００２０】
図３（ｃ）に示すように、回転軸部６を十字型に形成することで、上下風向羽根２を４姿勢の角度で取付けられることが出来、作業人の取付けやすい・見やすい姿勢で取付けられるため、取付け時の諸負担を軽減することができる。
【産業上の利用可能性】
【００２１】
以上のように、本発明にかかる空気調和機の上下風向羽根の取付け構造は、取付け部品に無理な力を加えることなく、簡単な取付けで外れにくい構造が可能となるので、扉や蓋の開閉構造、例えば便座蓋等の用途にも適用できる。
【図面の簡単な説明】
【００２２】
【図１】（ａ）本発明の実施の形態１における空気調和機の斜視図（ｂ）同他の空気調和機の斜視図
【図２】本発明の実施の形態１における上下風向羽根の斜視図
【図３】（ａ）本発明の実施の形態１における上下風向羽根取付け時の取付け部拡大図（ｂ）同他の取付け部拡大図（ｃ）同他の取付け部拡大図
【図４】従来の上下風向羽根の斜視図
【符号の説明】
【００２３】
１  空気調和機室内ユニット
２  上下風向羽根
３  回転軸受け部
４  軸引掛け部
５  軸引掛け部
６  回転軸部
７  軸引掛け受け部
８  軸引掛け受け部
９  壁部
１０  壁部
１１  回転軸部
１２  回転軸部
１３  支点軸部
【図１】
2008106951.tif 000003
【図２】
2008106951.tif 000004
【図３】
2008106951.tif 000005
【図４】
2008106951.tif 000006